(57)【要約】【課題】板状部材の筐体への組付性を向上させ、板状部材の実寸法のばらつきや変形に対する許容度を高め、筐体の音響効果を向上させる。【解決手段】グランドピアノ型の電子ピアノ１の筐体構造であって、本体部１０に設けた横側板１１，１１及び後側板１２で囲まれる収納部２０に中板３０を取り付ける際、収納部２０の前側に配置した中板３０を後側へスライド移動させることで、中板３０の後端辺３０ａを後側板１２の内面１２ａに設けた嵌合部２１に嵌合させ、その状態で、中板３０の下面３４に設けた固定片３７を収納部２０側に設けた被固定片１５に対してボルト１６で締結固定するように構成した。ボルト１６の締結箇所を大幅に削減できるので、中板３０の取付性が向上する。また、中板３０を固定するボルト１６が外観に現れないので、電子ピアノ１の外観デザインが良好になる。【選択図】図２
2010145933.tif 000002
【特許請求の範囲】
【請求項１】
本体部と、
前記本体部に設けた少なくとも一部が開放可能に構成された収納部と、
前記収納部に取り付けられる板状部材と、
前記本体部に設けた前記板状部材の端辺の一部を嵌合させる嵌合部と、
前記板状部材における前記収納部の内側を向く面に設けた前記本体部に対して固定される固定部と、該固定部を締結固定するための締結具と、
を備え、
前記板状部材の前記端辺の一部が前記嵌合部に嵌め込まれた状態で、前記固定部が前記締結具で締結固定されることで、前記板状部材が前記収納部に取り付けられる
ことを特徴とする電子楽器の筐体構造。
【請求項２】
前記嵌合部と該嵌合部に嵌め込まれる前記板状部材の端辺との少なくともいずれかに、弾性を有する緩衝部が設けられている
ことを特徴とする請求項１に記載の電子楽器の筐体構造。
【請求項３】
前記収納部内には、スピーカが設置されており、
前記収納部に取り付けられた前記板状部材により、前記スピーカの少なくとも一部が前記収納部の外から隠れた状態になる
ことを特徴とする請求項１又は２に記載の電子楽器の筐体構造。
【請求項４】
前記スピーカは、前記収納部内に設けられた前記板状部材側を向くスピーカ配置面に配された複数のスピーカであり、
前記板状部材の前記各スピーカに対応する位置には、放音孔が形成されており、
前記収納部に取り付けられた前記板状部材と前記スピーカ配置面との間には、隙間が形成されている
ことを特徴とする請求項３に記載の電子楽器の筐体構造。
【請求項５】
前記収納部は、前記本体部における演奏者側と反対の後側に配置されており、
前記嵌合部は、前記収納部における後側、あるいは該後側から両側の少なくとも一部に渡る箇所を囲む側板に設けられており、
前記収納部内で前記板状部材を前記演奏者側から前記後側へ向かって移動させることに伴い、該板状部材の端辺が前記嵌合部に嵌め込まれる
ことを特徴とする請求項１乃至４のいずれかに記載の電子楽器の筐体構造。
【請求項６】
前記板状部材は、前記本体部に設けた第１の嵌合部に嵌合される第１の板状部材と、該第１の板状部材とともに前記収納部に取り付けられる第２の板状部材と、を備え、
前記第１の板状部材の前記第１の嵌合部に嵌め込まれる以外の端辺に形成され、前記第２の板状部材の一部の端辺が嵌め込まれる第２の嵌合部と、
前記第２の板状部材における前記収納部の内側を向く面に設けた前記本体部に対して固定される第２の固定部と、該第２の固定部を締結固定するための第２の締結具と、
をさらに備え、
前記第１の板状部材を前記収納部に取り付けた状態で、前記第２の板状部材の前記一部の端辺が前記第２の嵌合部に嵌め込まれ、前記第２の固定部が前記第２の締結具で締結固定されることで、前記第２の板状部材が前記収納部に取り付けられる
ことを特徴とする請求項１乃至５のいずれかに記載の電子楽器の筐体構造。
【発明の詳細な説明】
【技術分野】
【０００１】
本発明は、グランドピアノ型の外観を有する電子ピアノに用いて好適な電子楽器の筐体構造に関する。
【背景技術】
【０００２】
従来、例えば特許文献１に示すように、グランドピアノ型の外観を有する電子ピアノ（電子楽器）がある。特許文献１に記載の電子ピアノは、鍵盤の後方に電子ピアノの外形を成す側板で囲まれた収納部が設けられており、収納部の上部の開口には、該開口を開閉可能とする大屋根が取り付けられている。収納部の内部には、スピーカが配列された板状部材（特許文献１では響板と呼称）が設置されている。
【０００３】
ところで、アコースティックピアノの場合は、収納部内に弦が存在するため、上記の板状部材に相当する部材である響板が収納部内の弦とフレームの下方に設置されているが、電子ピアノの場合は、弦が存在しないため、板状部材が大屋根に近い収納部の上端の開口近傍に設置されている。したがって、大屋根を開けた状態では、板状部材が電子ピアノの外部から見える状態になり、電子ピアノの外観部品の一部となる。
【特許文献１】特開２００７−２３３１９０号公報
【発明の開示】
【発明が解決しようとする課題】
【０００４】
そして、上記のような従来の電子ピアノでは、板状部材を側板など本体部側に固定する固定構造として、ボルトなどの締結具による固定構造が用いられていた。しかしながら、上記のような筐体構造においては、板状部材が外観部品の一部となるため、板状部材を固定しているボルトが外から見えるおそれがあり、それにより、電子ピアノの良好な外観が損なわれるという問題があった。また、収納部に取り付ける板状部材は比較的大型の部品であるため、ボルトの締結箇所を多数設けると、広範囲にわたる締結箇所を一箇所ずつ固定しなければならならず、板状部材の取付作業に手間と時間がかかるという問題があった。
【０００５】
一方、板状部材を接着による固定とすれば、電子ピアノの外観にボルトなどの締結具を露出させずに済む。しかしながら、接着による固定では、部品同士の取り付けの自由度を高くできない。また、接着による固定のみでは、部品の固定強度を十分に確保できないおそれもある。
【０００６】
また、板状部材が木材などの自然素材からなる場合、設計寸法に対する実寸法のばらつきが生じたり、反りなどの変形が生じたりすることがある。そのため、板状部材の固定構造には、板状部材の実寸法のばらつきや変形の影響をできるだけ吸収（許容）し易い構造を採用することが望ましい。また、板状部材が響板など電子部品の音響に影響を及ぼす部品である場合は、板状部材を含む筐体の音響効果が向上するような固定構造が望まれる。
【０００７】
本発明は上述の点に鑑みてなされたものでありその目的は、筐体への板状部材の組付性を向上させることができ、板状部材の実寸法のばらつきや変形に対する許容度を高めることができ、筐体の音響効果を向上させることができる電子楽器の筐体構造を提供することにある。
【課題を解決するための手段】
【０００８】
上記課題を解決するため本発明にかかる電子楽器の筐体構造は、本体部（１０）と、本体部（１０）に設けた少なくとも一部が開放可能に構成された収納部（２０）と、収納部（２０）に取り付けられる板状部材（３０，４０）と、本体部（１０）に設けた板状部材（３０）の端辺（３０ａ）の一部を嵌合させる嵌合部（２１）と、板状部材（３０）における収納部（２０）の内側を向く面（３４）に設けた本体部（１０）に対して固定される固定部（３７）と、該固定部（３７）を締結固定するための締結具（１６）と、を備え、板状部材（３０）の端辺（３０ａ）の一部が嵌合部（２１）に嵌め込まれた状態で、固定部（３７）が締結具（１６）で締結固定されることで、板状部材（３０）が収納部（２０）に取り付けられることを特徴とする。なお、ここでの括弧内の符号は、後述する実施形態の対応する構成要素の符号を本発明の一例として示したものである。
【０００９】
本発明にかかる電子楽器の筐体構造によれば、板状部材を収納部に取り付ける際、板状部材の端辺を嵌合部に嵌め込んで取り付けるようにしたので、ボルトなどの締結具による固定箇所の数を最小限に抑えることができる。これにより、板状部材を取り付ける作業が簡単に行えるようになり、筐体の組立容易性が向上する。また、板状部材の端辺を嵌合部に嵌め込んで取り付けるので、ボルトなど締結具のみによる固定と比べて、板状部材の実寸法のばらつきや変形に対する許容度を高めることができる。したがって、板状部材の取付作業が行い易くなると共に、取付後の板状部材の固定状態を安定させることが可能となる。また、締結具で固定される固定部を板状部材の収納部側の面に配置したので、板状部材を収納部に取り付けた状態で、締結具が電子楽器の外観に現れずに済むようになる。したがって、電子楽器の外観に高級感を持たせるなど、外観デザインを良好にすることができる。
【００１０】
また、この電子楽器の筐体構造では、嵌合部（２１）と該嵌合部（２１）に嵌め込まれる板状部材（３０）の端辺（３０ａ）との少なくともいずれかに、弾性を有する緩衝部（１３ａ，３１）を設けるとよい。これによれば、板状部材の端辺が嵌合部に弾性的に嵌合するようになるので、板状部材の取付作業がさらに行い易くなる。また、板状部材の実寸法の誤差や変形に対する許容度もさらに高まり、取付後の板状部材の固定状態をさらに安定させることができる。
【００１１】
また、この電子楽器の筐体構造では、収納部（２０）に取り付けた板状部材（３０）により、収納部（２０）内に設置したスピーカ（５１）の少なくとも一部が収納部（２０）の外から隠れた状態になるようにするとよい。これにより、電子楽器の外観デザインをさらに良好にすることができる。
【００１２】
また、この場合、スピーカ（５１）は、収納部（２０）内に設けられた板状部材（３０）側を向くスピーカ配置面（５１ａ）に配された複数のスピーカ（５１）であり、板状部材（３０）の各スピーカ（５１）に対応する位置には、放音孔（３２）が形成されており、収納部（２０）に取り付けられた板状部材（３０）とスピーカ配置面（５１ａ）との間には、隙間（Ａ）が形成されているとよい。これによれば、板状部材の放音孔から放出される音は、各スピーカの音が対応する放音孔から外部へ直接放音されるいわゆる直接音と、スピーカ配置面と板状部材との隙間で反射されることで各スピーカの音が混合された状態で放音孔から放音されるいわゆる間接音との両方が合わさった音となる。この場合、前者の直接音だけでは、各スピーカの音が分離して聞こえ、聴者に複数の点音源が鳴っているような印象を与えるが、前者の直接音に後者の間接音が合わさることで、聴者に点音源ではなく面音源が鳴っているような印象を与えることが可能となる。したがって上記構成の筐体構造を用いれば、電子楽器の筐体でアコースティックピアノなどの響板に近い音響効果が得られるようになり、筐体による音響効果を向上させることができる。
【００１３】
また、上記の電子楽器の筐体構造では、収納部（２０）は、本体部（１０）における演奏者側と反対の後側に配置されており、嵌合部（２１）は、収納部（２０）における後側、あるいは該後側から両側の少なくとも一部に渡る箇所を囲む側板（１２）に設けられており、収納部（２０）内で板状部材（３０）を演奏者側から後側へ向かって移動させることに伴い、該板状部材（３０）の端辺（３０ａ）が嵌合部（２１）に嵌め込まれるようにするとよい。これによれば、板状部材を取り付ける際、板状部材を一方向へ移動させるだけで、板状部材の端辺が嵌合部に押し込まれて嵌合するようになる。したがって、板状部材の取付作業がさらに簡単に行えるようになり、筐体の組立容易性が向上する。
【００１４】
また、この電子楽器の筐体構造では、上記の板状部材（３０，４０）は、本体部（１０）に設けた第１の嵌合部（２１）に嵌合される第１の板状部材（３０）と、該第１の板状部材（３０）とともに収納部（２０）に取り付けられる第２の板状部材（４０）と、を備え、第１の板状部材（３０）の第１の嵌合部（２１）に嵌め込まれる以外の端辺（３０ｃ）に形成され、第２の板状部材（４０）の一部の端辺（４０ａ）が嵌め込まれる第２の嵌合部（３５）と、第２の板状部材（４０）における収納部（２０）の内側を向く面（４４）に設けた本体部（１０）に対して固定される第２の固定部（４７）と、該第２の固定部（４７）を締結固定するための第２の締結具（４８）と、をさらに備え、第１の板状部材（３０）を収納部（２０）に取り付けた状態で、第２の板状部材（４０）の一部の端辺（４０ａ）が第２の嵌合部（３５）に嵌め込まれ、第２の固定部（４７）が第２の締結具（４８）で締結固定されることで、第２の板状部材（４０）が収納部（２０）に取り付けられるようにしてよい。これによれば、第１の板状部材の嵌合部を利用して、第２の板状部材を収納部に取り付けることが可能となる。したがって、収納部に取り付ける板状部材を二枚以上にしながらも、ボルトなどの締結具による固定箇所を最小限に抑えることが可能となる。またこの場合、第２の板状部材を締結固定する固定部を第２の板状部材の収納部側の面に配したことで、第２の締結具も収納部の外から見えないようにでき、電子楽器の外観デザインを良好にできる。また、例えば、二枚の板状部材のいずれかのみを電子楽器の発音に応じて振動させるようにすれば、筐体による音響効果を多様化することも可能となる。また、音響効果に影響を及ぼす板状部材とそれ以外の板状部材とで材質を異ならせることなども可能となるので、電子楽器の音響効果を高めながら、製造コストを低く抑えることができる。
【発明の効果】
【００１５】
本発明にかかる電子楽器の筐体構造によれば、筐体への板状部材の取付性を向上させることができ、板状部材の実寸法のばらつきや変形に対する許容度を高めることができ、筐体による音響効果を向上させることができる。
【発明を実施するための最良の形態】
【００１６】
以下、添付の図面を参照して本発明の実施形態を詳細に説明する。図１及び図２は、本発明の一実施形態にかかる筐体構造を備えた電子ピアノ（電子楽器）１を示す図で、図１は、電子ピアノ１の全体構成を示す斜視図、図２は、後述する本体部１０の構成を示す分解斜視図である。電子ピアノ１は、本体部１０と、本体部１０を支持する３本の脚からなる脚部２と、本体部１０の下部に取り付けたペダルユニット３などを備えている。なお、図２及び以降の各図では、脚部２やペダルユニット３の図示は省略している。なお、以下の説明では、電子ピアノ１の本体部１０における演奏者側を手前あるいは前側、演奏者と反対側を後側といい、後述する鍵盤６０が備える鍵６１の配列方向を左右あるいは横方向と称す。
【００１７】
本体部１０は、手前側に複数の鍵６１が配列された鍵盤６０が設置されており、鍵盤６０の後側には、本体部１０の左右を囲む一対の横側板１１，１１と、本体部１０の後部を囲む後側板１２とによって形成された収納部２０が配置されている。収納部２０の上部は開口２０ａになっており、該開口２０ａには、一辺を支点として上下に回動することで開閉可能な大屋根４が設置されている。また、上方へ持ち上げた大屋根４を支持するための突上棒５が設けられている。また、図２に示すように、収納部２０内の後側には、複数のスピーカ５１を備えたスピーカボックス５０が設置されている。収納部２０内におけるスピーカボックス５０の手前側には、左右の横側板１１，１１の内面１１ａ，１１ａに架け渡された二本の角柱状の支持部材２３，２４が設置されている。支持部材２３，２４は、前後に所定間隔で互いに平行に配置されている。支持部材２３，２４の上には、平板状の載置板２５が架け渡されている。載置板２５の上には、図示は省略するが、回路基板などの電子部品が搭載されるようになっている。そして、収納部２０内には、開口２０ａの後側の部分を塞ぐ中板（第１の板状部材）３０と、中板３０の手前側で開口２０ａの前側を塞ぐ響板（第２の板状部材）４０とが取り付けられている。また、響板４０の上面４３の中央に対応する位置には譜面板５５が設置され、譜面板５５の両側に対応する位置には、一対の装飾台５７，５７が設置されるようになっている。
【００１８】
本体部１０の後側板１２は、木材などで構成された板状部材で、収納部２０の後端から後方の両側にかけての位置を囲む湾曲面形状に形成されている。横側板１１，１１は、木材などで構成された略平板状の部材で、後側板１２の両端と鍵盤６０の両端とを接続するように前後方向に延びて配置されている。後側板１２の内面（収納部２０側の面）１２ａには、後述する中板３０の後端辺３０ａが嵌め込まれる嵌合部２１が設けられている。嵌合部２１は、後側板１２の上端に形成した収納部２０内に突出する突起状の段部１２ｂと、該段部１２ｂの下側に設置した複数のアングル材１３とによって構成された横向き凹状の部分である。すなわち、段部１２ｂは、開口２０ａの内周に形成された断面が略矩形状の突起からなり、アングル材１３は、二辺を有するＬ字状に形成された金属板材からなり、その一辺が後側板１２の内面１２ａに固定されており、他辺が内面１２ａから収納部２０の内側に向かって横方向に延びている。アングル材１３と段部１２ｂとの隙間に嵌合部２１が形成されている。嵌合部２１は、上下の幅が中板３０の後端辺３０ａの厚さとほぼ等しくなっており、中板３０の後端辺３０ａを板厚方向に挟持するようになっている。アングル材１３は、後側板１２の幅方向に沿って所定間隔で複数個が取り付けられており、嵌合部２１は、各々のアングル材１３と段部１２ｂとの間に渡っている。また、アングル材１３の表面（上面）には、ウレタンなどの弾性を有する材料からなるクッション材（緩衝材、以下同じ）１３ａが貼付されている。
【００１９】
図３は、中板３０を示す図で、（ａ）は、上面側から見た斜視図、（ｂ）は、下面側から見た斜視図、（ｃ）は、（ａ）のＡ部分拡大側断面図、（ｄ）は、（ｂ）のＢ部分拡大側断面図である。中板３０は、木製の平板状部材で、収納部２０を構成する後側板１２及び横側板１１，１１の内周に沿う湾曲線状の後端辺３０ａと、略直線状の両側辺３０ｂ，３０ｂと、僅かに湾曲する曲線状の前端辺３０ｃとで囲まれた形状を有している。後端辺３０ａには、ウレタンなどの弾性を有する材料からなる薄板状のクッション材３１が貼付されている。また、中板３０には、複数個（図では四個）の放音孔３２が設けられている。各放音孔３２は、中板３０に形成したスピーカ５０の外周に沿う形状の貫通穴に、多数の小孔が開いた網目状のパンチングメタル３２ａを取り付けた構成である。各放音孔３２は、収納部２０に設置したスピーカボックス５０（図２参照）の各スピーカ５１に対応する位置に設けられている。
【００２０】
中板３０の前端辺３０ｃの下面３４側には、後述する響板４０の後端辺４０ａを嵌め込むための嵌合部３５が設けられている。嵌合部３５は、前端辺３０ｃの下面３４と、該下面３４に取り付けたアングル材３６とで形成された前向き凹状の部分である。アングル材３６は、中板３０の下面３４に固定された辺と、該辺に直交して下面３４から垂直下方に延びる辺と、中板３０の下面３４と平行に前側に向かって延びる辺との三辺を有する屈曲辺状に形成された金属板状部品からなる。このアングル材３６と前端辺３０ｃの下面３４との隙間に嵌合部３５が形成されている。図３（ａ）及び（ｂ）に示すように、アングル材３６は、中板３０の前端辺３０ｃに沿って所定間隔で複数個が取り付けられており、嵌合部３５は、各々のアングル材３６と前端辺３０ｃの下面３４との間に渡って形成されている。嵌合部３５は、上下の幅が後述する響板４０の後端辺３０ａの厚さとほぼ等しく、響板４０の後端辺３０ａを板厚方向に挟持するようになっている。
【００２１】
また、図３（ｂ）及び（ｄ）に示すように、中板３０の下面３４における前端辺３０ｃ近傍の両側には、固定片（固定部）３７，３７が設けられている。固定片３７、３７はいずれも同形状で、金属平板を略Ｌ字型に折り曲げてなる部材で、一辺が中板３０の下面３４に取り付けられており、他辺が該下面３４から下方に延びている。固定片３７は、中板３０を本体部１０側に締結固定するための部位で、ボルト（締結具）１６（図５参照）を締結するためのボルト穴３７ａが形成されている。
【００２２】
また、図３（ｂ）に示すように、中板３０の下面３４には、連結具３８が取り付けられている。連結具３８は、中板３０の下面３４に固定された辺と、該辺に直交して下面３４から垂直下方に延びる辺と、中板３０の下面３４と平行に後側に向かって延びる辺との三辺を有する屈曲辺状に形成された金属板状部品からなる。連結具３８と中板３０の下面３４と間には、隙間が形成されている（図５参照）。連結具３８は、中板３０の下面３４における前端辺３０ｃの近傍に複数個（図では左右にそれぞれ１個ずつ）配置されている。連結具３８の表面（上面）には、ウレタンなどの弾性を有する材料からなる薄板状のクッション材３８ａが貼付されている。
【００２３】
図４は、響板４０を示す図で、（ａ）は、上面側から見た斜視図、（ｂ）は、下面側から見た斜視図、（ｃ）は、（ａ）のＣ部正面視拡大図、（ｄ）は、Ｃ部側面視拡大図である。響板４０は、木製の平板状部材で、中板３０の前端辺３０ｃに沿うように僅かに湾曲した曲線状に形成された後端辺４０ａと、略直線状の両側辺４０ｂ，４０ｂと、略直線状の前端辺４０ｃとを有する横長の略長方形状に形成されている。響板４０の中央には、譜面板５５を支持するための支持棒（図示せず）を貫通させる開口部４０ｄが形成されている。開口部４０ｄは、前後方向に延びる長尺状の小貫通穴からなる。また、響板４０の両側近傍には、本体部１０側に設けた取付具２６のピン２６ａ（図２参照）を挿通する開口部４０ｅが形成されている。開口部４０ｅは、前後方向に延びる長尺状の小貫通穴からなる。
【００２４】
また、響板４０の下面４４には、演奏音（電子ピアノ１で電気的に発生させる楽音信号）に応じた振動を響板４０に付与するためのトランスデューサ（加振器）５８が取り付けられている。トランスデューサ５８は、響板４０の下面４４における前端辺４０ｃの近傍に複数個（図では左右に１個ずつ）設けられている。このトランスデューサ５８は、図示しないコネクタを介して響板４０の下側に設置される回路基板に接続されるようになっており、入力される楽音信号に応じて響板４０を振動させるものである。なお、トランスデューサ５８は、高音域の楽音信号に応じてのみ作動するようにしてもよい。また、響板４０の下面４４側の前端辺４０ｃには、固定片（固定部）４７が設けられている。固定片４７は、前端辺４０ｃに沿って所定間隔で複数個が設置されている。図４（ｃ）及び（ｄ）に示すように、固定片４７は、金属平板を略Ｌ字状に折り曲げてなる部材で、一辺が響板４０の下面４４に固定されており、他辺が該下面４４から下方に延びている。固定片４７は、響板４０を収納部２０に取り付ける際、収納部２０側に設置した支持部材（被固定部）２３に対してボルト（締結具）４８（図７参照）による締結で固定されるものである。したがって、固定片４７には、ボルト４８を締結するためのボルト穴４７ａが形成されている。
【００２５】
譜面板５５は、図２に示すように、略矩形状の平板状に形成されており、手前側の辺（下端辺）５５ａが蝶番５６により響板４０の下側の支持部材２３に対して回動自在に取り付けられ、ガイド部材２７に対して移動可能に連結された支持棒（図示せず）により傾斜角度を調整可能な状態で設置される。また、装飾台５７は、略平板状の部材からなり、響板４０の開口部４０ｅから突出する取付具２６のピン２６ａにより、譜面板５５の左右に固定されるようになっている。装飾台５７は、小物などを置くための物置台（あるいはローソク台）として利用可能である。
【００２６】
収納部２０に設置したスピーカボックス５０は、図２に示すように、収納部２０の後側の下方に収納されている。スピーカボックス５０の上面であるスピーカ配置面５０ａには、所定間隔で複数（図では４セット）のスピーカ５１が配設されている。また、スピーカ５１の間には、略角柱状の小片からなるスペーサ部材５２が適宜の間隔で複数設置されている。スペーサ部材５２の上面には、ウレタンなど弾性を有する材料からなる薄板状のクッション材５２ａが貼付されている。このクッション材５２ａを貼付したスペーサ部材５２は、中板３０を収納部２０に取り付ける作業を行う際、中板３０の後端辺３０ａや下面３４が誤ってスピーカボックス５０やスピーカ５１に衝突することを防止するための緩衝材として機能する。
【００２７】
また、スピーカ配置面５０ａには、被連結具５３が取り付けられている。被連結具５３は、スピーカ配置面５０ａに固定された辺と、該辺に直交してスピーカ配置面５０ａから垂直上方に延びる辺と、スピーカ配置面５０ａと平行に前側に向かって延びる辺との三辺を有する屈曲辺状に形成された金属板状部品からなる。被連結具５３とスピーカ配置面５０ａとの間には、隙間が形成されている（図５参照）。被連結具５３は、中板３０の下面３４に取り付けた連結具３８に対応して設置されており、スピーカ配置面５０ａにおける前端の近傍の左右に１個ずつ設置されている。被連結具５３の表面（下面）には、ウレタンなどの弾性を有する材料からなる薄板状のクッション材５３ａが貼付されている。
【００２８】
また、横側板１１の内面１１ａには、被固定片（被固定部）１５が設けられている。被固定片１５は、金属平板を略Ｌ字型に折り曲げてなる部材で、一辺が横側板１１の内面１１ａに取り付けられており、他辺が該内面１１ａから収納部２０内に向かって延びている。被固定片１５は、中板３０を収納部２０に取り付ける際、中板３０の固定片３７をボルト１６（図５参照）による締結で固定させるものである。また、横側板１１の内面１１ａには、響板４０を支持する支持部材２８が設置されている。支持部材２８は、収納部２０に取り付けた響板４０の側辺４０ｂを下面４４側から支持する部材で、略角柱状の小突起からなる。なお、図２では、一方の横側板１１の内面１１ａに設置した被固定片１５及び支持部材２８のみ図示しているが、他方の横側板１１の内面１１ａにも被固定片１５及び支持部材２８が取り付けられている。
【００２９】
次に、上記構成の筐体構造において、収納部２０に中板３０と響板４０を取り付けて筐体を組み立てる手順を説明する。収納部２０への中板３０と響板４０の取り付けは、中板３０、響板４０の順で行なわれる。図５は、中板３０を取り付ける手順を説明するための概念図である。なお、図５では、中板の固定片３７とアングル材３６とが同位置で一部重なった状態で示されているが、実際には、図３に示すように、アングル材３６より奥側に固定片３７があり、これらは重なっていない。
【００３０】
収納部２０に中板３０を取り付けるには、図５（ａ）に示す中板３０を開口２０ａから収納部２０に挿入して、同図（ｂ）に示すように、開口２０ａより若干低い位置（嵌合部２１の高さ位置）で水平に配置する。その状態で、中板３０を後方に向かってその面と平行にスライド移動させると、中板３０の後端辺３０ａが嵌合部２１に押し込まれて嵌合する。またこのとき、連結具３８が被連結具５３の下側に差し込まれる。そして、同図（ｃ）に示すように、中板３０の後端辺３０ａが嵌合部２１の奥まで一杯に嵌め込まれた状態で、連結具３８と被連結具５３が上下に重なり合って係合する。なお、中板３０の後端辺３０ａはクッション材３１及びクッション材１３ａによって嵌合部２１に対して弾性的に嵌合し、連結具３８と被連結具５３は、クッション材３８ａ，５３ａによって弾性的に係合する。またこのとき、中板３０の固定片３７が収納部２０側の被固定片１５に当接する。この状態で、固定片３７と被固定片１５とをボルト１６で締結固定することで、収納部２０への中板３０の取り付けが完了する。
【００３１】
図６は、収納部２０に中板３０を取り付けた状態を示す本体部１０の斜視図である。同図に示すように、中板３０は、収納部２０における開口２０ａよりも若干低い位置に水平に取り付けられており、収納部２０の後側でスピーカボックス５０のスピーカ配置面５０ａ（図１参照）を覆っている。また、この状態で、図５（ｃ）に示すように、スピーカ配置面５０ａと中板３０との間に隙間Ａが形成されている。
【００３２】
図７は、収納部２０に響板４０を取り付ける手順を説明するための概念図である。収納部２０に響板４０を取り付けるには、同図（ａ）に示す響板４０を開口２０ａから収納部２０に挿入し、同図（ｂ）に示すように、中板３０の前側で中板３０よりも一段低い位置（嵌合部３５の高さ位置）に水平に配置する。なおこのとき、図示は省略するが、取付具２６のピン２６ａが開口部４０ｅを貫通して響板４０の上方に突出すると共に、ガイド部材２７が響板４０の開口部４０ｄに対向して配置される。この状態で、響板４０を後方に向かってその面と平行にスライド移動させると、響板４０の後端辺４０ａが中板３０の第２の嵌合部３５に押し込まれて嵌合する。このときも、響板４０の後端辺４０ａはクッション材４１及びクッション材３６ａによって嵌合部３５に弾性的に嵌合する。そして、同図（ｃ）に示すように、響板４０の後端辺４０ａが嵌合部３５の奥まで一杯に嵌め込まれた状態で、響板４０の固定片４７が支持部材２３に当接する。この状態で、固定片４７と支持部材２３とをボルト４８の締結で固定すれば、響板４０の取り付けが完了する。
【００３３】
図８は、収納部２０に中板３０及び響板４０を取り付けた状態を示す本体部１０の斜視図である。同図に示すように、響板４０は、収納部２０における中板３０の前側で中板３０よりも一段低い位置に水平に取り付けられており、収納部２０の前側で、鍵盤６０とスピーカボックス５０の間の部分を覆っている。
【００３４】
続いて、響板４０の上面４３側に譜面板５５を取り付ける。また、譜面板５５の両側に装飾台５７，５７を取り付ける。装飾台５７の取り付けは、装飾台５７の外側の端辺を横側板１１の内面１１ａに嵌め込むようになっており、その状態で、装飾台５７の下面に設けた図示しない固定部に対して取付具のピン２６ａを図示しないボルトの締結で固定する。このような固定構造を採用したことで、装飾台５７を固定するボルトが電子ピアノ１の外観に現れないようにしている。このようにして組み立てた本実施形態の筐体構造では、図１に示すように、本体部１０の大屋根４が開かれた状態で、収納部２０に取り付けた中板３０と響板４０が外部から見える状態となる。したがって、中板３０と響板４０が電子ピアノ１の外観の一部を成すようになっている。
【００３５】
本実施形態の筐体構造では、中板３０と響板４０を収納部２０に取り付ける際、中板３０の後端辺３０ａを後側板１２の嵌合部２１に嵌合するとともに、響板４０の後端辺４０ａを中板３０の嵌合部３５に嵌合するようにした。これにより、中板３０のボルト１６による固定箇所、及び響板４０のボルト４８による固定箇所を最小限に抑えている。したがって、中板３０や響板４０の組付性が向上し、中板３０や響板４０を取り付ける作業を短時間で効率良く行なえるようになる。また、中板３０や響板４０を嵌合部２１，３５に嵌合させて取り付けることに加えて、クッション材３１（１３ａ），４１（３６ａ）で中板３０や響板４０を弾性的に嵌合させるようにしたので、中板３０や響板４０が設計寸法に対する実寸法のばらつきが有る場合や、反りなど変形がある場合でも、筐体の組立時や組立後におけるそれらの影響を効果的に吸収（許容）できる。したがって、中板３０や響板４０の取付作業が行い易くなると共に、取付後の中板３０や響板４０の固定状態を安定させることができる。また、図５（ｃ）に示す連結具３８と被連結具５３の係合により、万一、中板３０に反りなどの変形が生じた場合でも、中板３０の内側部分が上方に浮き上がることを防止できる。
【００３６】
また、本実施形態の筐体構造では、中板３０を固定するためのボルト１６や響板４０を固定するためのボルト４８を中板３０の下面３４や響板４０の下面４４に配置したので、中板３０や響板４０を収納部２０に取り付けた状態で、ボルト１６，４８の締結箇所が収納部２０の外から見えずに済む。したがって、電子ピアノ１の外観に高級感を持たせるなどなどでき、電子ピアノ１の外観デザインを良好にできる。また、収納部２０に取り付けた中板３０で、スピーカ配置面５０ａのスピーカ５１が外部から隠れた状態になる。したがって、大屋根４を開いたときも、収納部２０に設置したスピーカボックス５０やスピーカ５１が外部から直接見えないようになるので、電子ピアノ１の外観デザインが良好になる。
【００３７】
また、本実施形態の筐体構造では、収納部２０内での前側から後側へ向かう中板３０のスライド移動に伴い、中板３０の後端辺３０ａが嵌合部２１に嵌め込まれ、響板４０の同方向へのスライド移動に伴い、響板４０の後端辺４０ａが嵌合部３５に嵌め込まれるようになっている。すなわち、収納部２０に中板３０及び響板４０を取り付ける際、中板３０及び響板４０を一方向へスライド移動させるだけで、中板３０及び響板４０が嵌合部２１，３５に嵌め込まれて、それらの取り付けが行える。したがって、中板３０や響板４０の取付作業が行い易くなる。
【００３８】
また、本実施形態の筐体構造では、中板３０の嵌合部３５を利用して響板４０を収納部２０に取り付けるようになっている。このような構成を採用したことで、収納部２０に取り付ける板状部材を中板３０と響板４０の二枚としながらも、それらのボルト１６，４８による締結箇所を最小限に抑えることが可能となる。また、収納部２０に設置する板状部材を響板４０と中板３０の二枚に分けたことで、響板４０と中板３０を異なる材質の板材で構成することが可能となる。これにより、音響素材としての響板４０の材質を最適化しつつ、中板３０には比較的低廉な材質を用いることができるので、電子ピアノ１のコストダウンを図ることができる。また、板状部材を二枚に分けたことで、本実施形態のように、響板４０のみをトランスデューサ５８で加振することが可能となる。これにより、収納部２０に取り付ける板状部材を一枚で構成する場合と比べて、トランスデューサ５８など振動発生に必要な部品の小型化あるいは小出力化が可能となる。また、収納部２０の前側に設置した響板４０を振動させるようにしたことで、演奏者に近い響板４０のみから振動音を発生させることが可能となる。したがって、演奏者に伝わる振動音の応答性を向上させることができる。また、響板４０の後端辺４０ａが第２の嵌合部３５に弾性的に嵌合していることで、響板４０の振動自由度が向上するので、響板４０の振動による音響効果の質を高めることも可能となる。
【００３９】
以上本発明の実施形態を説明したが、本発明は上記実施形態に限定されるものではなく、特許請求の範囲、及び明細書と図面に記載された技術的思想の範囲内において種々の変形が可能である。例えば、上記実施形態では、嵌合部２１を弾性的に嵌合させるための緩衝材として、中板３０の後端辺３０ａに設けたクッション材３１と、アングル材１３に設けたクッション材１３ａとの両方を備えた場合を説明したが、クッション材３１とクッション材１３ａはいずれか一方のみを設けてもよい。同様に、連結具３８に設けたクッション材３８ａと被連結具５３に設けたクッション材５３ａは、いずれか一方のみとしてもよく、響板４０の後端辺４０ａに設けたクッション材４１と中板３０のアングル材３６に設けたクッション材３６ａは、いずれか一方のみとしてもよい。また、上記実施形態に示す各クッション材は、本発明の緩衝部の一例であり、緩衝部の具体的な構成はこれに限定されない。
【００４０】
また、上記実施形態では、響板４０を本体部１０側にボルト４８で固定するための固定片４７を響板４０の下面４４に設けているが、ボルトなどの締結具による響板４０の固定構造としては、これ以外にも、図示は省略するが、響板４０両端を上面４３側から固定する締結具による固定部を配置し、この締結具による固定部を覆うように装飾台５７を取り付けてもよい。このような構成でも、響板４０を固定する締結具が電子ピアノ１の外観に現れないようにできる。
【００４１】
また、上記実施形態では、本発明の筐体構造をグランドピアノ型の電子ピアノ１に適用した場合を示したが、本発明の筐体構造を適用する電子楽器は、他の電子楽器でもよい。
【図面の簡単な説明】
【００４２】
【図１】本発明の一実施形態にかかる筐体構造を備えた電子ピアノの全体を示す斜視図である。
【図２】電子ピアノの本体部の構成を示す分解斜視図である。
【図３】中板を示す図で、（ａ）は、上面側から見た斜視図、（ｂ）は、下面側から見た斜視図、（ｃ）は、（ａ）のＡ部分拡大側断面図、（ｄ）は、（ｂ）のＢ部分拡大側断面図である。
【図４】響板を示す図で、（ａ）は、上面側から見た斜視図、（ｂ）は、下面側から見た斜視図、（ｃ）は、（ａ）のＣ部正面視拡大図、（ｄ）は、Ｃ部側面視拡大図である。
【図５】中板を取り付ける手順を説明するための概念図である。
【図６】収納部に中板を取り付けた状態での本体部の斜視図である。
【図７】響板を取り付ける手順を説明するための概念図である。
【図８】収納部に中板及び響板を取り付けた状態での本体部の斜視図である。
【符号の説明】
【００４３】
１  電子ピアノ（電子楽器）
１０  本体部
１１  横側板
１２  後側板
１６  ボルト（締結具）
２０  収納部
２０ａ  開口
２１  嵌合部（第１の嵌合部）
２３，２４  支持部材
３０  中板（板状部材）
３１  クッション材（緩衝材）
３２  放音孔
３５  嵌合部（第２の嵌合部）
３６  アングル材
３７  固定片（固定部）
３８  連結具
３８ａ  クッション材（緩衝材）
４０  響板（板状部材）
４０ａ  後端辺
４１  クッション材（緩衝材）
４７  固定片（固定部）
４７ａ  ボルト穴
４８  ボルト（締結具）
５０  スピーカボックス
５０ａ  スピーカ配置面
５１  スピーカ
５３  被連結具
５３ａ  クッション材（緩衝材）
６０  鍵盤
６１  鍵
【図１】
2010145933.tif 000003
【図２】
2010145933.tif 000004
【図３】
2010145933.tif 000005
【図４】
2010145933.tif 000006
【図５】
2010145933.tif 000007
【図６】
2010145933.tif 000008
【図７】
2010145933.tif 000009
【図８】
2010145933.tif 000010